(57)【要約】      （修正有）【課題】より現実的かつ実用的な排泄物自動処理装置を提供する。【解決手段】要介護者のベッド３毎に洗浄水用のノズルとセンサー付きの排泄物の受皿本体２及び電源制御機構１２が設けられると共に、該受皿本体２に接続したセンサーコード６、洗浄水用ホース７、排泄物用ホース８、送風用ホース９等はホースユニット１０で束ねられて連結用のカプラー１１に着脱可能状に接続され、それらの延長は、センサーコード６は電源制御機構１２に接続されるが、他の諸ホースは、床下に設置された洗浄水タンク１４、排泄物タンク１５、送風用モーターポンプ１６Ｍ等にそれぞれ連結される。またそれぞれのタンク１４，１５及び送風用ヒーター１６に接続されたモーターポンプ１５Ｍ、１６Ｍは、電源コード１３で電源制御装置１２に接続され、洗浄水タンク１４は上水道に、排泄物タンク１５は下水道系統に、それぞれ連結される。【選択図】図１
0003161991.tif 000002
【実用新案登録請求の範囲】
【請求項１】
要介護者の股間に対応する部位に装着される排泄物通過孔を有するおむつに対して装着され排泄物通過孔からの排泄物を受ける受皿部とその受皿部内の排泄物を外部に排出する排出口を有する受皿本体が、各ベツド毎に備えてあり、外部から供給される洗浄水を該受皿本体の内部に撒水することにより該受皿部に溜まった排泄物を洗浄して該排出口から外部へ排出させると共に要介護者の体外の排出器官を洗浄するための洗浄水用のノズルが、該受皿本体の内部に向けて設置され、更に該受皿部内の排泄物を感知することにより該ノズルから洗浄水を撒水するか否かを決定するための信号を生成して外部へ出力するためのセンサーが該受皿本体内に設置され、該センサーから出力された信号を伝達するセンサーコードと、洗浄水を該受皿本体に供給する洗浄水用ホースと、排泄物を該受皿本体から排出する排出物用ホースと、温風を該受皿本体に向けて供給する送風用ホースとを、ホースユニットで束ねて片側を該受皿本体に連結すると共に、他側を連結媒体であるカプラーに着脱可能状に連結し、該カプラーより該センサーコードの延長分を各ベッド近辺に設置された電源制御機構に接続すると共に、該電源制御機構からは入力されたセンサーからの信号に基づき設定した通りに電気を出力する電源コードが、それぞれ床下に設けられた洗浄水タンク用のモーターポンプと、排泄物タンク用のモーターポンプと、送風用ヒーターとそれに繋がる送風用モーターポンプとに連結され、該洗浄水タンクからは該モーターポンプを経て洗浄水用ホースが、該排泄物タンクからは排泄物用ホースが、該送風用モーターポンプからは送風用ホースが、該カプラーを介してそれぞれ対応するホースに連結され、上記の洗浄水タンク及び排泄物タンクはそれぞれ上水道及び下水道系統に連結されたことを特徴とする排泄物自動処理装置。
【考案の詳細な説明】
【技術分野】
【０００１】この考案は、寝たきり状態の要介護者の排泄物処理を著しく改善する排泄物自動処理装置に関する。
【背景技術】
【０００２】高齢であったり各種疾患のために寝たきりを余儀なくされるいわゆる要介護者の排泄問題は、当人はもとより介護者にとっても甚だ深刻であり、その解決のための様々な提案が従来よりなされている。例えば工業所有権として下記のようなものが既に出願され、公開されている。【０００３】
【技術文献１】
特開２００４−０００３８６号公報
【技術文献２】
特開２００５−１０３１３１号公報
【技術文献３】
特開平０３−０８５０２２号公報
【技術文献４】
特開２００９−０７２３７４号公報
【考案の開示】
【考案が解決しようとする課題】
【０００４】このような在来の公開技術手段により、この排泄問題が十分に解決したかといえば、現実には必ずしもそうではない。例えば「技術文献１」には、新築及び改築の時、障害者寝室に排水管と給水管を敷設しておくことにより、排泄処理ベッドと水洗トイレを一体化し、配管を床下配管とした建物内床下配管型水洗トイレが記載され、「技術文献２」には、洗浄水孔付臭気防止管に一時収めた排泄物をおしめ内ドライ開始と同時に洗浄水の放出で下水道に直接流して処理する方法が記載され、「技術文献３」には、洗浄水供給手段に接続され、排泄物を系外に導く排除手段を有する排泄物処理装置が記載され、「技術文献４」には、排泄物穴を有するおむつに対して装着される排出口付き受け皿において、撒水ノズルとその作動タイミングを感知するセンサーとを備える旨が記載されている。【０００５】しかしながらこれらの先行技術手段のみでは、実際に適用するにあたり、要介護者等の個々の事情に対応した臭気その他衛生上の諸問題や、介護者に要求される労力等の負担が依然として大きく残されているため、未だ本格的な普及に至っていないのが現状である。本考案はかかる現状を改善して、より現実的かつ実用的な排泄物自動処理装置を提供することを課題とする。
【課題を解決するための手段】
【０００６】要介護者の股間に対応する部位に装着される排泄物通過孔を有するおむつ１に対して装着され排泄物通過孔からの排泄物を受ける受皿部２ａとその受皿部内の排泄物を外部に排出する排出口２ｂを有する受皿本体２が、各ベツド毎に備えてあり、外部から供給される洗浄水を受皿本体２の内部に撒水することにより受皿部２ａに溜まった排泄物を洗浄し排出口２ｂから外部へ排出させると共に要介護者の体外の排出器官を洗浄するための洗浄水用のノズル４が該受皿本体２の内部に向けて設置され、更に受皿部２ａ内の排泄物を感知することによりノズル４から洗浄水を撒水するか否かを決定するための信号を生成して外部へ出力するためのセンサー５が受皿本体２内に設置され、該センサー５から出力された信号を伝達するセンサーコード６と、洗浄水を受皿本体２に供給する洗浄水用ホース７と、排泄物を受皿本体２から排出する排出物用ホース８と、温風を受皿本体２に向けて供給する送風用ホース９とを、ホースユニット１０で束ねて片側を受皿本体２に連結すると共に、他側を連結媒体であるカプラー１１に着脱可能状に連結し、カプラー１１よりセンサーコード６の延長分を各ベッド３近辺に設置された電源制御機構１２に接続すると共に、該電源制御機構１１からは入力されたセンサー５からの信号に基づき所定の設定通りに電気を出力する電源コード１３が、洗浄水タンク１４用のモーターポンプ１４Ｍと、排泄物タンク１５用のモーターポンプ１５Ｍと、送風用ヒーター１６と、それに繋がる送風用モーターポンプ１６Ｍとにそれぞれ連結され、洗浄水タンク１４からはモーターポンプ１４Ｍを経て洗浄水用ホース７が、排泄物タンク１５からは排泄物用ホース８が、送風用モーターポンプ１６Ｍからは送風用ホース９が、カプラー１１を介してそれぞれ対応するホースに連結され、上記の洗浄水タンク１４、排泄物タンク１５、及び各モーターポンプ１４Ｍ、１５Ｍ、１６Ｍはいずれも床下に設けられると共に、洗浄水タンク１４は上水道に、排泄物タンク１５は下水道系統に、それぞれ連結された構造をもって、本考案の排泄物自動処理装置とする。【０００７】その要点を要約すれば、要介護者のベッド３毎に洗浄水用のノズル４とセンサー５付きの排泄物の受皿本体２及び電源制御機構１２が設けられると共に、該受皿本体２に接続したセンサーコード６、洗浄水用ホース７、排泄物用ホース８、送風用ホース９等はホースユニット１０で束ねられて連結用のカプラー１１に着脱可能状に接続され、それらの延長は、センサーコード６は電源制御機構１２に接続されるが、他の諸ホースは、床下に設置された洗浄水タンク１４、排泄物タンク１５、送風用モーターポンプ１６Ｍ等にそれぞれ連結される。またそれぞれのタンク１４，１５及び送風用ヒーター１６に接続されたモーターポンプ１４Ｍ、１５Ｍ、１６Ｍは、電源コード１３で電源制御装置１２に接続され、洗浄水タンク１４は上水道に、排泄物タンク１５は下水道系統に、それぞれ連結される。【０００８】この際、洗浄水タンク１４は、原則として水洗便所等で用いられているようなボールタップで水位を調整させるものが好ましい。その中の水は、センサー５からの信号を受けた電源制御装置１２からの指令によりモーターポンプ１４Ｍが発動して洗浄水用ホース７内を圧送され、ノズル４から受皿部２ａ内に撒水される。【０００９】また排泄物は、同じくセンサー５からの信号を受けた電源制御機構１２からの指令によりモーターポンプ１５Ｍが発動し、受皿部２ａより排泄物用ホース８を通り排泄物タンク１５内に吸引される。その際、該タンク１５の上部には空隙を設けておき、その空隙部において該ホース８を２本連結して、一方はカプラー１１を介して受皿本体２に、他方は例えば消臭具１７を経てモーターポンプ１５Ｍに連結される。また別の排泄物用ホース８は該タンク１５の下端に設けられて、その延長は汚水管など下水道系統に連結される。【００１０】また送風は原則として乾燥を兼ねた温風を使うから、同じくセンサー５からしかるべきタイミングで信号を受けた電源制御機構１２からの指令により送風用モーターポンプ１６Ｍが発動し、外部から取り込まれた空気が送風用ヒーター１６で加熱されて送風用ホース９を通り受皿本体２を装着した要介護者に向けて送られることになる。【００１１】なお必要に応じ殺菌消臭液タンク１８を別に設け、これに殺菌消臭液タンク用モーターポンプ１８Ｍを連結して同じく電源コード１３で電源制御機構１２に接続すると共に、殺菌消臭液用ホース１９でカプラー１１を介し受皿本体２に連結しても良い。【００１２】上記の各電源コード１３は原則としで束ねられて電源制御機構１２に接続され、そこには電力会社の１００Ｖ電源等から必要電力が別の電源コード１３から供給される。【００１３】なお必要に応じ、要介護者が電源制御機構１２を操作できるように、有線又は無線の手動リモコン２０を加えても良い。【００１４】また本考案において重要な役目を有するカプラー１１は、両端において集結したホースやコードがそれぞれ対応して連結するように差し込まれて箱状に一体化するものが既にあり、これを踏襲して容易に実現できる。
【考案の効果】
【００１５】本考案によれば、要介護者の排泄状態に応じた即時の排泄物除去と洗浄及び乾燥が適切に行なわれると同時に排泄物や洗浄水が公共のインフラに直結しているからそれらを運搬する必要がなく、要介護者はもとより介護者にとっても甚だ楽になり、臭気その他衛生上の問題も著しく改善する。また着脱自在のカプラーで中継させているから、そこから受皿本体までは各要介護者の専用のものとして使用することができるため、心理的にも衛生的にも甚だ安心できるなどの甚大な効果がある。
【産業上の利用可能性】
【００１６】本考案は進歩性がありニーズが高いと同時に、各の部品や組立及び工事は在来のものに準じて現実的に実施可能であるから、産業上の利用可能性は十分にある。
【図面の簡単な説明】
【００１７】
【図１】本考案一例を示す構成見取図
【図２】本考案の一部品の見取図
【符号の説明】
【００１８】１……おむつ    ２……受皿本体    ２ａ……受皿部    ２ｂ……排出口
３……ベッド    ４……ノズル    ５……センサー    ６……センサーコード
７……洗浄水用ホース      ８……排泄物用ホース      ９……送風用ホース
１０……ホースユニット      １１……カプラー      １２……電源制御機構
１３……電源コード      １４……洗浄水タンク      １５……排泄物タンク
１６……送風用ヒーター          １４Ｍ……洗浄水タンク用モーターポンプ
１５Ｍ……排泄物タンク用モーターポンプ
１６Ｍ……送風用モーターポンプ        １７……消臭具
１８……殺菌消臭液タンク    １８Ｍ……殺菌消臭液タンク用モーターポンプ
１９……殺菌消臭液用ホース        ２０……手動リモコン
【図１】
0003161991.tif 000003
【図２】
0003161991.tif 000004